(57)【要約】【課題】本発明は、特にパーソナルコンピュータ等の情報機器を用いた簡易な編集システムに適用して、オペレータの作業効率を向上することができる。【解決手段】本発明は、記録媒体の交換作業が最小回数になるように、編集リストに基づいて、記録順序をプランニングし、該プランニング結果に基づいて、記録側記憶手段及び再生側記憶手段の動作を制御してインサート録画により編集結果を記録する。【選択図】        図２３
2006294240.tif 000002
【特許請求の範囲】
【請求項１】
編集リストに従って、再生側記憶手段に記憶した映像信号を記録側記憶手段に記録する編集装置において、
再生側記憶手段に対する記録媒体の交換作業が最小回数になるように、前記編集リストに基づいて、記録順序をプランニングし、該プランニング結果に基づいて、記録側記憶手段及び再生側記憶手段の動作を制御してインサート録画により編集結果を記録する
ことを特徴とする編集装置。
【請求項２】
前記再生側記憶手段において再生する時間の短い又は長い前記記録媒体より順次交換作業するように、前記記録順序をプランニングする
ことを特徴とする請求項１に記載の編集装置。
【請求項３】
編集リストに従って、再生側記憶手段に記憶した映像信号を記録側記憶手段に記録する編集方法において、
再生側記憶手段に対する記録媒体の交換作業が最小回数になるように、前記編集リストに基づいて、記録順序をプランニングし、該プランニング結果に基づいてインサート録画により編集結果を記録する
ことを特徴とする編集方法。
【発明の詳細な説明】
【技術分野】
【０００１】
本発明は、編集装置及び編集方法に関し、特にパーソナルコンピュータ等の情報機器を用いた簡易な編集システムに適用することができる。本発明は、記録媒体の交換作業が最小回数になるように、編集リストに基づいて、記録順序をプランニングし、該プランニング結果に基づいて、記録側記憶手段及び再生側記憶手段の動作を制御してインサート録画により編集結果を記録することにより、オペレータの作業効率を向上することができる。
【背景技術】
【０００２】
従来、放送局等においては、大容量のハードディスク装置に編集対象の映像信号を記録して編集処理するようになされている。
【０００３】
すなわちこのような設備に適用される編集装置は、大容量のハードディスク装置を有し、複数の磁気テープ等に記録されたオリジナルのビデオ素材をこの大容量のハードディスク装置に記録する。編集現場においては、このハードディスク装置に記録されたビデオ素材により編集リストを作成し、この編集リストに従ってハードディスク装置に記録されたビデオ素材を編集してビデオテープレコーダ等により記録するようになされている。
【０００４】
ところでパーソナルコンピュータ等の情報機器を使用して、簡易に、この種の編集作業を実行することができれば、便利であると考えられる。この場合、従来の編集装置と同様に、オリジナルのビデオ素材をパーソナルコンピュータに記録し直して編集処理することが考えられる。
【０００５】
ところがこのようにするとパーソナルコンピュータ側に極めて大容量のハードディスク装置を用意する必要があり、簡易にこの種の編集システムを構築できない問題がある。
【０００６】
この問題を解決する１つの方法として、パーソナルコンピュータ側には、編集リスト作成用に解像度を低減したオリジナルのビデオ素材を記録する方法が考えられる。すなわちこのようにしてデータ量を低減したビデオ素材により編集リストを作成し、この編集リストに従って元のオリジナルのビデオ素材を編集する方法である。ところがこの方法の場合、パーソナルコンピュータ側に記録するデータ量を低減し得るものの、結局、大容量のハードディスク装置が必要になる問題がある。
【特許文献１】特開平７−３３４９７１号公報
【発明の開示】
【発明が解決しようとする課題】
【０００７】
本発明は以上の点を考慮してなされたもので、簡易な構成で、種々の編集処理を実行することができる編集装置及び編集方法を提案しようとするものである。
【課題を解決するための手段】
【０００８】
かかる課題を解決するため請求項１の発明においては、編集リストに従って、再生側記憶手段に記憶した映像信号を記録側記憶手段に記録する編集装置に適用して、再生側記憶手段に対する記録媒体の交換作業が最小回数になるように、前記編集リストに基づいて、記録順序をプランニングし、該プランニング結果に基づいて、記録側記憶手段及び再生側記憶手段の動作を制御してインサート録画により編集結果を記録する。
【０００９】
請求項１の構成によれば、複数本の磁気テープを編集対象にして編集処理する場合における磁気テープの装填回数が格段的に低減され、これによりオペレータの作業効率を向上することができる。
【発明の効果】
【００１０】
本発明によれば、編集点の設定処理に必要な部分的な映像信号についてのみ、作業用の記憶手段に転送し、この部分的な映像信号によりプレビューすることにより、簡易な構成で、種々の編集処理を実行することができる編集装置を得ることができる。
【発明を実施するための最良の形態】
【００１１】
以下、適宜図面を参照しながら本発明の実施例を詳述する。
【実施例１】
【００１２】
図２は、本発明の実施例に係る編集装置を示す略線図である。この編集装置１は、編集用の処理プログラムをハードディスク装置２に格納したパーソナルコンピュータ３に、再生側ビデオテープレコーダ５及び記録側ビデオテープレコーダ６を接続して形成される。
【００１３】
ここでパーソナルコンピュータ３は、所定の拡張スロットにビデオキャプチャーボード７を装着し、このビデオキャプチャーボード７を介して再生側ビデオテープレコーダ５、記録側ビデオテープレコーダ６と接続される。これによりパーソナルコンピュータ３は、表示装置８に表示したグラフィカルユーザーインターフェース（ＧＵＩ：Graphical User Interface）に従ってオペレータが所定の操作を実行すると、再生側ビデオテープレコーダ５、記録側ビデオテープレコーダ６に制御コマンドＤＣを発行し、これら再生側ビデオテープレコーダ５、記録側ビデオテープレコーダ６の動作を制御すると共に、再生側ビデオテープレコーダ５で再生した映像信号ＳＶを取り込んで処理し、また必要に応じて記録側ビデオテープレコーダ６で記録する。
【００１４】
編集装置１は、このようにして周辺装置を制御してパーソナルコンピュータ３により一連の処理手順を実行することにより、編集リストを作成し、また作成した編集リストに従って記録側ビデオテープレコーダ６に編集結果を記録する。
【００１５】
図３は、パーソナルコンピュータ３の機能ブロックを示すブロック図である。外部ディバイスコントローラ２Ａは、編集サブシステム２Ｂの制御により、外部機器でなる再生側ビデオテープレコーダ５、記録側ビデオテープレコーダ６の動作を制御し、これによりこれらビデオテープレコーダ５及び６の動作を切り換えて、頭出しし、記録、再生、調走等の動作を実現する。
【００１６】
入出力管理部２Ｃは、編集サブシステム２Ｂの制御により、再生側ビデオテープレコーダ５、記録側ビデオテープレコーダ６との間で、映像信号及びオーディオ信号の入出力を管理する。この入出力において、入出力管理部２Ｃは、ビデオキャプチャーボード７に配置されたアナログディジタル変換回路（Ａ／Ｄ）２ＣＡにより順次入力される映像信号をアナログディジタル変換処理してディジタルビデオ信号を生成し、このディジタルビデオ信号を編集サブシステム２Ｂに出力する。
【００１７】
このとき入出力管理部２Ｃは、編集サブシステム２Ｂの指示により、同様に、ビデオキャプチャーボード７に配置された間引き回路２ＣＢによりディジタルビデオ信号のビデオデータを間引きし、これによりこのディジタルビデオ信号の解像度を低減して、ディジタルビデオ信号のデータ量を低減する。
【００１８】
また入出力管理部２Ｃは、編集サブシステム２Ｂより出力されるディジタルビデオ信号を受け、ビデオキャプチャーボード７に配置されたディジタルアナログ変換回路（Ｄ／Ａ）２ＣＣにより映像信号に変換して出力する。このような映像信号の入出力において、入出力管理部２Ｃは、映像信号に付加されたタイムコードを抽出して編集サブシステムに出力する。また記録側ビデオテープレコーダ６に編集サブシステムより出力されるタイムコードを出力する映像信号に付加する。
【００１９】
ストレージ管理部２Ｄは、編集サブシステム２Ｂにより制御されてハードディスク装置２の動作を制御し、入出力管理部２Ｃより入力される映像信号、オーディオ信号をハードディスク装置２に記録し、またこのハードディスク装置２に記録した映像信号、オーディオ信号を再生して出力する。
【００２０】
編集サブシステム２Ｂは、編集処理に必要な主要モジュールにより構成される。このモジュールのうちの、タイムコード管理部２ＢＡは、編集対象、編集結果のタイムコードを管理する。この管理において、タイムコード管理部２ＢＡは、編集リストの作成に必要な拡張タイムコード、タイムコードマップを作成し、これら拡張タイムコード、タイムコードマップに基づいて編集リストを管理する。なおここで拡張タイムコードは、編集対象を記録したビデオカセットと共に、編集対象でなる映像信号を特定する、この編集システムに特有のタイムコードである。
【００２１】
ＧＵＩ管理部２ＢＢは、表示装置８に表示するグラフィカルユーザインターフェースを管理し、編集処理部２ＢＣの制御に従って表示装置８の表示を切り換え、またこの表示画面上におけるオペレータの操作を編集処理部２ＢＣに通知する。
【００２２】
ビュアー２ＢＤは、編集処理部２ＢＣの制御より、ストレージ管理部２Ｄに要求を発行し、ハードディスク装置２に格納された映像信号を、表示装置８に形成された所定のウインドウに表示する。なお、オーディオ信号については、所定の再生ハードウエアに供給する。編集装置１では、これによりプレビューの映像を確認できるようになされている。
【００２３】
特殊効果フィルタ２ＢＥは、この編集装置１で付加する特殊効果に対応して複数種類用意され、オペレータの指定に対応した編集処理部２ＢＣの制御により、映像信号に各種の効果を付与する。なおこの実施例では、この特殊効果フィルタ２ＢＥによりワイプ、ディゾルブ等の処理を実行できるようになされている。
【００２４】
編集処理部２ＢＣは、ＧＵＩ管理部２ＢＢからの通知に従って、各種モジュールを制御し、これによりこの編集装置１において、編集リストの作成処理等を実行する。
【００２５】
バッチ処理管理部２ＢＦは、編集処理部２ＢＣの制御により、編集リストに従ってバッチ処理のスケジュール管理を実行し、このスケジュール管理に従って外部ディバイスコントローラ２Ａを制御する。これによりバッチ処理管理部２ＢＦは、再生側ビデオテープレコーダ５に対してビデオカセットを頻繁に装配転しなくても、複数の磁気テープに記録された映像信号を編集して記録側ビデオテープレコーダ６に記録できるようになされている。
【００２６】
図４は、一連の編集作業における編集処理部２ＢＣの処理手順を示すフローチャートである。すなわち編集処理部２ＢＣは、オペレータが編集装置１の電源を立ち上げて表示装置８上で所定のメニューを選択すると、この処理手順を開始し、ステップＳＰ１からステップＳＰ２に移る。ここで編集処理部２ＢＣは、ＧＵＩ管理部２ＢＢを制御して表示装置８に所定のメニュー画面を表示する。さらに編集処理部２ＢＣは、このメニュー画面の操作に応動してオペレータにより大まかなイン点及びアウト点の設定を受け付け、この大まかなイン点及びアウト点を基準にして編集作業用のビデオ素材を入力する。
【００２７】
すなわち編集処理部２ＢＣは、図１に示すように、このビデオ素材の入力処理において、ステップＳＰ３からステップＳＰ４に移り、テープＩＤを取得する。ここでテープＩＤは、ビデオ素材を記録した磁気テープの識別コードであり、編集処理部２ＢＣは、各磁気テープの先頭部分に記録された管理用データに基づいて、テープＩＤを取得する。なおこの管理用データによりテープＩＤを取得できない場合、編集処理部２ＢＣは、ＧＵＩ管理部２ＢＢを制御してオペレータにテープＩＤの入力を促し、これによりテープＩＤを取得する。
【００２８】
続いて編集処理部２ＢＣは、ステップＳＰ５に移り、イン点近傍素材オブジェクトを生成する。ここでこの実施例において、編集装置１は、図５に示すように、オペレータの設定したイン点Ｓ及びアウト点Ｅ間の編集素材について、それぞれイン点Ｓ及びアウト点Ｅを中心にした所定期間のビデオ信号ＩＳ及びＯＳを取り込み、この取り込んだ素材によりプレビュー等の処理を実行する。
【００２９】
イン点近傍素材オブジェクトＩＳは、このうちのイン点Ｓを中心にした所定期間のビデオ信号であり、編集処理部２ＢＣは、図６に示す処理手順を実行して、このイン点近傍素材オブジェクトＩＳを入力する。すなわち編集処理部２ＢＣは、ステップＳＰ６からステップＳＰ７に移り、ここで外部ディバイスコントローラ２Ａを介して再生側ビデオテープレコーダ５に再生を指示する。
【００３０】
このとき編集処理部２ＢＣは、オペレータの設定したイン点Ｓより所定期間だけ逆上った位置に磁気テープを巻き戻しした後、再生側ビデオテープレコーダ５を再生し、続くステップＳＰ８において、タイムコード管理部２ＢＡを介して得られるタイムコードに基づいて、再生側ビデオテープレコーダ５の再生位置が、イン点より所定期間ｔＳ０だけ手前の位置に到達したか否か判断する。
【００３１】
ここで否定結果が得られると、編集処理部２ＢＣは、ステップＳＰ８を繰り返すのに対し、再生側ビデオテープレコーダ５の再生位置が、イン点より所定期間ｔＳ０だけ手前の位置に到達すると、ステップＳＰ８において肯定結果が得られることにより、ステップＳＰ９に移る。ここで編集処理部２ＢＣは、テープ内ＩＤを取得し、イン点近傍素材オブジェクトの開始点タイムコードＳ０（図５）を取得する。ここでテープ内ＩＤは、テープ内におけるビデオ素材を識別する識別コードであり、この実施例では、オペレータの設定したイン点及びアウト点の順序で、この磁気テープ内で連続する番号が設定されるようになされている。
【００３２】
続いて編集処理部２ＢＣは、ステップＳＰ１０に移り、入出力管理部２Ｃを制御して、再生側ビデオテープレコーダ５で再生した映像信号を１フレーム分取り込む。ここでこの映像信号の取り込みにおいて、編集処理部２ＢＣは、図７に示すように、ステップＳＰ１１からステップＳＰ１２に移り、入出力管理部２Ｃのアナログディジタル変換回路２ＣＡを起動し、順次入力される映像信号をディジタルビデオ信号に変換できるようにする。続いて編集処理部２ＢＣは、ステップＳＰ１３に移り、アナログディジタル変換回路２ＣＡの後段に配置されたフレームバッファに、ディジタルビデオ信号を１フレーム分蓄積する。
【００３３】
続いて編集処理部２ＢＣは、ステップＳＰ１４に移り、間引き回路２ＣＢを起動し、フレームバッファに蓄積したディジタルビデオ信号の解像度を低減する。続くステップＳＰ１５において、編集処理部２ＢＣは、この解像度を低減したディジタルビデオ信号をハードディスク装置２に記録し、既存の編集用ファイルに追加した後、ステップＳＰ１６に移って処理手順を終了する。
【００３４】
このようにして１フレーム分、映像信号を取り込むと、編集処理部２ＢＣは、ステップＳＰ１７に移り（図６）、再生側ビデオテープレコーダ５における再生位置がイン点Ｓより所定時間ｔＳ１だけ経過した位置か否か判断する。ここで否定結果が得られると、編集処理部２ＢＣは、ステップＳＰ１０に戻り、続く映像信号を１フレーム分取り込む。これにより編集処理部２ＢＣは、ステップＳＰ１０−ＳＰ１７−ＳＰ１０の処理手順を繰り返し、オペレータの設定したイン点Ｓより時間ｔＳ０だけ逆上った位置Ｓ０から、イン点Ｓより時間ｔＳ１だけ経過した位置Ｓ１までの映像信号により１つのファイルを形成し、このファイルをイン点近傍素材オブジェクトとしてハードディスク装置２に保持するようになされている。
【００３５】
かくして編集処理部２ＢＣは、ステップＳＰ１７において肯定結果が得られると、ステップＳＰ１８に移って、このイン点近傍素材オブジェクトについて、終了点のタイムコードを取得した後、ステップＳＰ１９に移ってメインルーチィンに戻る。
【００３６】
このようにしてイン点近傍素材オブジェクトＩＭを取り込むと、編集処理部２ＢＣは（図１）、ステップＳＰ２０に移り、ここでアウト点近傍素材オブジェクトＯＭを取り込む。ここで図８に示すように、編集処理部２ＢＣは、ステップＳＰ２２からステップＳＰ２３に移り、再生側ビデオテープレコーダ５に再生を指示する。このとき編集処理部２ＢＣは、オペレータの設定したアウト点Ｅ（図５）を所定期間だけ逆上った位置に磁気テープを早送りした後、再生側ビデオテープレコーダ５を再生し、続くステップＳＰ２４において、タイムコード管理部２ＢＡを介して得られるタイムコードに基づいて、再生側ビデオテープレコーダ５の再生位置が、アウト点より所定期間ｔＥ０だけ手前の位置に到達したか否か判断する。
【００３７】
ここで否定結果が得られると、編集処理部２ＢＣは、ステップＳＰ２４を繰り返すのに対し、再生側ビデオテープレコーダ５の再生位置が、アウト点より所定期間ｔＥ０だけ手前の位置に到達すると、ステップＳＰ２４において肯定結果が得られることにより、ステップＳＰ２５に移る。ここで編集処理部２ＢＣは、テープ内ＩＤを取得し、アウト点近傍素材オブジェクトの開始点タイムコードＥ０（図５）を取得する。
【００３８】
続いて編集処理部２ＢＣは、ステップＳＰ２６に移り、入出力管理部２Ｃを制御して、再生側ビデオテープレコーダ５で再生した映像信号を１フレーム分取り込む。ここでこの映像信号の取り込みは、イン点近傍素材オブジェクトの場合と同様に、図７について上述した処理手順により実行される。
【００３９】
このようにして１フレーム分、映像信号を取り込むと、編集処理部２ＢＣは、ステップＳＰ２７に移り、再生側ビデオテープレコーダ５における再生位置がアウト点Ｅより所定時間ｔＥ１だけ経過した位置か否か判断する。ここで否定結果が得られると、編集処理部２ＢＣは、ステップＳＰ２６に戻り、続く映像信号を１フレーム分取り込む。これにより編集処理部２ＢＣは、ステップＳＰ２６−ＳＰ２７−ＳＰ２６の処理手順を繰り返し、オペレータの設定したアウト点Ｅより時間ｔＥ０だけ逆上った位置Ｅ０から、アウト点Ｅより時間ｔＥ１だけ経過した位置Ｅ１までの映像信号により１つのファイルを形成し、このファイルをアウト点近傍素材オブジェクトＯＭとしてハードディスク装置２に保持する。
【００４０】
かくして編集処理部２ＢＣは、ステップＳＰ２７において肯定結果が得られると、ステップＳＰ２８に移って、このアウト点近傍素材オブジェクトＯＭについて、終了点のタイムコードを取得した後、ステップＳＰ２９に移ってメインルーチィンに戻る。
【００４１】
このようにしてアウト点近傍素材オブジェクトＯＭを取り込むと、編集処理部２ＢＣは（図１）、ステップＳＰ３０に移り、これらイン点近傍素材オブジェクトＩＭ及びアウト点近傍素材オブジェクトＯＭにファイル名を付加して、ハードディスク装置２の作業用領域より、所定領域に格納すると共に、これら両オブジェクトを一括して扱う編集用素材オブジェクトファイルを作成し、同じく所定領域に格納した後、ステップＳＰ３１に移ってこの処理手順を終了する。
【００４２】
このようにして編集処理部２ＢＣは、オペレータの設定したイン点及びアウト点毎に、図１の処理手順を実行して、作業用のビデオ素材を入力する。さらに編集処理部２ＢＣは、オペレータの設定した全てのイン点及びアウト点について、作業用ビデオ素材の入力を完了すると、タイムコードマップを作成する（図４）。
【００４３】
ここで図９に示すように、編集処理部２ＢＣは、ハードディスク装置２に取り込んだビデオ素材について、テープＩＤ、テープ内ＩＤ、始点及び終点のタイムコード、始点及び終点のタイムコードに対応する拡張タイムコードによりタイムコードマップを作成する。ここで始点及び終点は、それぞれオペレータの設定したイン点及びアウト点に対応する。また拡張タイムコードは、それぞれ始点及び終点のタイムコードにテープＩＤ及びテープ内ＩＤを付加して作成される。
【００４４】
これにより例えば、２つの磁気テープ１０Ａ及び１０Ｂに記録した２つのビデオ素材を編集する場合（図９（Ｂ）及び（Ｃ））、それぞれ磁気テープ１０Ａ及び１０ＢのテープＩＤ、各テープ内ＩＤに対して、各磁気テープに記録されたビデオ素材の始点及び終点のタイムコードが付加されて拡張タイムコードが形成され、この拡張タイムコードによりタイムコードマップが形成される。これにより編集装置１では、このタイムコードマップにより再生側ビデオテープレコーダ５により再生される各ビデオ素材と、ハードディスク装置２に記録されたビデオ素材とを関連付けるようになされている。
【００４５】
このようにしてタイムコードマップの作成を完了すると、編集処理部２ＢＣは、ステップＳＰ４０において、編集作業を実行する。ここで編集処理部２ＢＣは、オペレータの操作に応動して、プレビューの処理を繰り返し、オペレータによりイン点、アウト点の変更処理を受け付ける。またオペレータの操作に従って特殊効果に指定を受け付ける。
【００４６】
続いて編集処理部２ＢＣは、オペレータの指定によりステップＳＰ４１に移り、プレビューの処理において変更したイン点等に従って編集リストを作成する。さらに編集処理部２ＢＣは、続くステップＳＰ４２において、バッチ処理管理部２ＢＦを制御し、これにより編集リストに従ってバッチ処理による編集作業をプランニングする。
【００４７】
続いて編集処理部２ＢＣは、ステップＳＰ４３において、編集作業における特殊効果シーンを作成した後、ステップＳＰ４４において、バッチ処理により、再生側ビデオテープレコーダ５で再生した映像信号を記録側ビデオテープレコーダ６で記録する。これにより編集処理部２ＢＣは、編集リストに従って編集結果の映像信号を記録側ビデオテープレコーダ６で記録した後、ステップＳＰ４５に移ってこの処理手順を終了する。
【００４８】
図１０は、編集作業時における表示装置８の表示画面を示す略線図である。編集処理部２ＢＣは、オペレータが編集のモードを選択して、作業用ビデオ素材を指定すると、この表示画面を表示する（図１０（Ｂ））。ここでこの表示画面は、複数のウインドウにより構成され、その１つのウインドウＷ１にプレビュー結果でなる映像信号を表示する。またこのプレビュー結果の上方には、基準のタイムコードが表示され、プレビュー結果の下方には、再生、早送り、巻き戻し等のアイコンが表示されるようになされている。これにより編集装置１では、これらのアイコンをクリックして、編集結果を確認できるようになされている。
【００４９】
さらに編集処理部２ＢＣは、プレビュー対象のビデオ素材を確認するウインドウＷ２を表示し、このウインドウＷ２において、ウインドウＷ１に表示するビデオ素材を、前後のビデオ素材と共に、帯グラフ状に表示する。ここでこのウインドウＷ２中の帯グラフ表示を拡大して図１０（Ａ）に示すように、このウインドウＷ２は、イン点近傍素材オブジェクトＩＭＡ、ＩＭＢと対応するアウト点近傍素材オブジェクトＯＭＡ、ＯＭＢとを両端に配置して、処理対象のビデオ素材を１０Ａ及び１０Ｂを帯グラフ状に表示する。さらにこのとき各イン点近傍素材オブジェクトＩＭＡ、ＩＭＢ、アウト点近傍素材オブジェクトＯＭＡ、ＯＭＢのイン点及びアウト点のタイムコードＴＣＳＡ、ＴＣＳＢ及びＴＣＥＡ、ＴＣＥＢを、各イン点近傍素材オブジェクトＩＭＡ、ＩＭＢ、アウト点近傍素材オブジェクトＯＭＡ、ＯＭＢに近接して表示する。
【００５０】
さらに各イン点近傍素材オブジェクトＩＭＡ、ＩＭＢ、アウト点近傍素材オブジェクトＯＭＡ、ＯＭＢのイン点及びアウト点を線状のカーソルＳＡ、ＳＢ、ＥＡ、ＥＢにより示し、編集処理部２ＢＣにおいては、それぞれカーソルＳＡ、ＳＢ、ＥＡ、ＥＢをマウスでクリックしてドラッグすることにより、イン点、アウト点を変更できるようになされている。
【００５１】
さらにこの表示画面は、メニューの選択により第３のウインドウＷ３が開くように形成され、編集処理における特殊効果のフィルタがこの第３のウインドウＷ３に表示されるようになされている。これにより編集装置１では、この第３のウインドウＷ３に表示されたアイコンを、アウト点近傍素材オブジェクトＯＭＡ、イン点近傍素材オブジェクトＩＭＡより構成され得るシーン遷移区間にドラッグすることにより、指定した編集点に種々のフィルタリング処理を付加できるようになされている。なおこの実施例では、各種のワイプ、ディゾルブ等をメニューにより選択できるようになされており、さらに各メニューについて、遷移期間等を設定できるようになされている。
【００５２】
図１１は、このような表示画面において、オペレータがカット編集のプレビューメニューを選択した場合における編集処理部２ＢＣの処理手順を示すフローチャートである。すなわち編集処理部２ＢＣは、ステップＳＰ５０からステップＳＰ５１に移り、プレビューを開始するビデオ素材でなる再生オブジェクトＭＡ（図１０）の指定を受け付ける。続いて編集処理部２ＢＣは、ステップＳＰ５２に移り、ここでこの再生オブジェクトＭＡのイン点に対応するようにポインタをセットする。
【００５３】
続いて編集処理部２ＢＣは、ステップＳＰ５３に移り、このポインタによりハードディスク装置２からの読み出しを指示し、このポインタにより指定される再生画像を表示装置８のウインドウＷ１に表示する。続いて編集処理部２ＢＣは、ステップＳＰ５４に移り、再生ポインタを値１だけインクリメントし、ステップＳＰ５５に移る。ここで編集処理部２ＢＣは、再生ポインタにより指示されるフレームがイン点近傍素材オブジェクトＩＭＡの末尾のタイムコードＳＡ１に対応するか否か判断する。ここで否定結果が得られると、編集処理部２ＢＣは、ステップＳＰ５３に戻り、この値１だけインクリメントした再生ポインタに対応する映像信号をウインドウＷ１に表示する。
【００５４】
これにより編集処理部２ＢＣは、ハードディスク装置２に記録したイン点近傍素材オブジェクトＩＭＡについて、イン点より再生を開始してステップＳＰ５３−ＳＰ５４−ＳＰ５５−ＳＰ５３の処理手順を繰り返し、順次、このイン点近傍素材オブジェクトＩＭＡをウインドウＷ１に表示する。さらにこの状態で、イン点近傍素材オブジェクトＩＭＡの末尾まで再生すると、ステップＳＰ５５において肯定結果が得られることにより、ステップＳＰ５５からステップＳＰ５６に移り、ここでこの末尾のフレームＳＡ１をウインドウＷ１に表示する。
【００５５】
続いて編集処理部２ＢＣは、ステップＳＰ５７に移り、ここで内蔵のタイマーに所定時間ｔＺＡをセットする。ここでこの時間ｔＺＡは、このイン点近傍素材オブジェクトＩＭＡの末尾から、対応するアウト点近傍素材オブジェクトＯＭＡの先頭までの時間である。このようにしてタイマーをセットすると、編集処理部２ＢＣは、図１２に示すように、続いてステップＳＰ５８に移る。ここで編集処理部２ＢＣは、タイマーにセットした時間ｔＺＡが経過したか否か判断し、否定結果が得られると、ステップＳＰ５８を繰り返す。
【００５６】
これにより編集処理部２ＢＣは、イン点近傍素材オブジェクトＩＭＡのイン点ＳＡより順次ウインドウＷ１に表示し、イン点近傍素材オブジェクトＩＭＡの末尾になると、ウインドウＷ１の表示をこの末尾の表示に固定して、期間ｔＺＡの経過を待ち受ける。これにより編集装置１では、編集対象をハードディスク装置２に取り込んだイン点近傍素材オブジェクトＩＭＡ及びアウト点近傍素材オブジェクトＯＭＡによりプレビューして、これらイン点近傍素材オブジェクトＩＭＡ及びアウト点近傍素材オブジェクトＯＭＡ間の、ハードディスク装置２に取り込んでいないビデオ素材については、イン点近傍素材オブジェクトＩＭＡの末尾の画像を静止画により表示するようになされている。
【００５７】
なお編集処理部２ＢＣでは、このように順次イン点近傍素材オブジェクトＩＭＡ等のビデオ素材を表示する際に、ウインドウＷ１上のタイムコード表示については、順次更新するようになされ、これにより静止画を表示している場合でも、編集対象のビデオ素材をプレビューしていることをオペレータが確認できるようになされている。
【００５８】
かくして時間ｔＺＡが経過すると、編集処理部２ＢＣは、ステップＳＰ５８において肯定結果が得られることによりステップＳＰ５９に移り、ここで対応するアウト点近傍素材オブジェクトＯＭＡの先頭を指定するように、再生ポインタを設定する。
【００５９】
続いて編集処理部２ＢＣは、この再生ポインタにより指定されるアウト点近傍素材オブジェクトＯＭＡのフレームをウインドウＷ１に表示した後、ステップＳＰ６０からステップＳＰ６１に移り、ここで再生ポインタを値１だけインクリメントする。
【００６０】
続いて編集処理部２ＢＣは、ステップＳＰ６２に移り、再生ポインタにより指示されるフレームがアウト点近傍素材オブジェクトＯＭＡにおけるアウト点のタイムコードＥＡに対応するか否か判断する。ここで否定結果が得られると、編集処理部２ＢＣは、ステップＳＰ６０に戻り、この値１だけインクリメントした再生ポインタに対応する映像信号をウインドウＷ１に表示する。
【００６１】
これにより編集処理部２ＢＣは、ハードディスク装置２に記録したアウト点近傍素材オブジェクトＯＭＡについて、先頭より再生を開始してステップＳＰ６０−ＳＰ６１−ＳＰ６２−ＳＰ６０の処理手順を繰り返し、順次、このアウト点近傍素材オブジェクトＯＭＡをウインドウＷ１に表示する。さらにこの状態で、アウト点近傍素材オブジェクトＯＭＡのアウト点まで再生すると、ステップＳＰ６２において肯定結果が得られることにより、ステップＳＰ６２からステップＳＰ６３に移り、このアウト点のフレームＳＥをウインドウＷ１に表示する。
【００６２】
続いて図１３に示すように、編集処理部２ＢＣは、ステップＳＰ６４に移り、オペレータの指定した続く再生オブジェクトＭＢを指定する。続いて編集処理部２ＢＣは、ステップＳＰ６５に移り、この再生オブジェクトＭＢのイン点に対応するようにポインタをセットする。
【００６３】
続いて編集処理部２ＢＣは、ステップＳＰ６６に移り、このポインタによりハードディスク装置２の読み出しを指示し、このポインタにより指定される再生画像を表示装置８のウインドウＷ１に表示する。続いて編集処理部２ＢＣは、ステップＳＰ６７に移り、再生ポインタを値１だけインクリメントし、ステップＳＰ６８に移る。ここで編集処理部２ＢＣは、再生ポインタにより指示されるフレームがイン点近傍素材オブジェクトＩＭＢの末尾のタイムコードＳＢ１に対応するか否か判断する。ここで否定結果が得られると、編集処理部２ＢＣは、ステップＳＰ６６に戻り、この値１だけインクリメントした再生ポインタに対応する映像信号をウインドウＷ１に表示する。
【００６４】
これにより編集処理部２ＢＣは、ハードディスク装置２に記録したアウト点近傍素材オブジェクトＯＭＡ及びイン点近傍素材オブジェクトＩＭＢについて、アウト点近傍素材オブジェクトＯＭＡの先頭よりアウト点まで再生した後、イン点近傍素材オブジェクトＩＭＢのイン点から再生を開始してステップＳＰ６６−ＳＰ６７−ＳＰ６８−ＳＰ６６の処理手順を繰り返し、順次、このイン点近傍素材オブジェクトＩＭＢをウインドウＷ１に表示する。さらにこの状態で、イン点近傍素材オブジェクトＩＭＢの末尾まで再生すると、ステップＳＰ６８において肯定結果が得られることにより、ステップＳＰ６８からステップＳＰ６９に移り、ここでこの末尾のフレームＳＢ１をウインドウＷ１に表示する。
【００６５】
続いて編集処理部２ＢＣは、ステップＳＰ７０に移り、ここで内蔵のタイマーに所定時間ｔＺＢをセットする。ここでこの時間ｔＺＢは、このイン点近傍素材オブジェクトＩＭＢの末尾から、対応するアウト点近傍素材オブジェクトＯＭＢの先頭までの時間である。このようにしてタイマーをセットすると、編集処理部２ＢＣは、図１４に示すように、続いてステップＳＰ７１に移る。ここで編集処理部２ＢＣは、タイマーにセットした時間ｔＺＢが経過したか否か判断し、否定結果が得られると、ステップＳＰ７１を繰り返す。
【００６６】
これにより編集処理部２ＢＣは、イン点近傍素材オブジェクトＩＭＢについても、末尾になるとウインドウＷ１の表示をこの末尾の静止画に切り換え、期間ｔＺＢの経過を待ち受ける。これにより編集装置１では、続く編集素材オブジェクトについても、ハードディスク装置２に取り込んだイン点近傍素材オブジェクトＩＭＢ及びアウト点近傍素材オブジェクトＯＭＢによりプレビューして、これらイン点近傍素材オブジェクトＩＭＢ及びアウト点近傍素材オブジェクトＯＭＢ間の、ハードディスク装置２に取り込んでいないビデオ素材については、イン点近傍素材オブジェクトＩＭＢの末尾の画像を静止画により表示するようになされている。
【００６７】
かくして時間ｔＺＢが経過すると、編集処理部２ＢＣは、ステップＳＰ７１において肯定結果が得られることによりステップＳＰ７２に移り、ここで対応するアウト点近傍素材オブジェクトＯＭＢの先頭を指定するように、再生ポインタを設定する。続いて編集処理部２ＢＣは、この再生ポインタにより指定されるアウト点近傍素材オブジェクトＯＭＢのフレームをウインドウＷ１に表示した後、ステップＳＰ７４に移り、ここで再生ポインタを値１だけインクリメントする。
【００６８】
続いて編集処理部２ＢＣは、ステップＳＰ７５に移り、再生ポインタにより指示されるフレームがアウト点近傍素材オブジェクトＯＭＢにおけるアウト点のタイムコードＥＢに対応するか否か判断する。ここで否定結果が得られると、編集処理部２ＢＣは、ステップＳＰ７３に戻り、この値１だけインクリメントした再生ポインタに対応する映像信号をウインドウＷ１に表示する。
【００６９】
これにより編集処理部２ＢＣは、ハードディスク装置２に記録したアウト点近傍素材オブジェクトＯＭＢを先頭より再生してステップＳＰ７３−ＳＰ７４−ＳＰ７５−ＳＰ７３の処理手順を繰り返し、順次、このアウト点近傍素材オブジェクトＯＭＢをウインドウＷ１に表示する。さらにこの状態で、アウト点近傍素材オブジェクトＯＭＢのアウト点まで再生すると、ステップＳＰ７５において肯定結果が得られることにより、ステップＳＰ７５からステップＳＰ７６に移り、このアウト点のフレームＥＢをウインドウＷ１に表示した後、ステップＳＰ７７に移ってこの処理手順を終了する。
【００７０】
これらの処理により編集処理部２ＢＣは、編集対象のうち、イン点近傍及びアウト点近傍の映像のみ選択的に取り込むと共に、取り込んだ映像によりプレビューの処理を実行できるようになされている。かくするにつきこのようにイン点近傍及びアウト点近傍の映像のみ選択的に取り込むことにより、小容量のハードディスク装置２を用いて編集の作業を実行することができる。また併せて解像度を低減することによっても、ハードディスク装置２の容量を低減することができる。
【００７１】
これに対して編集処理部２ＢＣは、このようなカット編集以外の、ワイプ、ディゾルブ等の特殊効果を指定してオペレータがプレビューの処理を選択した場合、特殊効果フィルタ２ＢＥを制御し、アウト点近傍素材オブジェクトＯＭＡ及びイン点近傍素材オブジェクトＩＭＢ間でウインドウに出力する映像信号について、オペレータの意図したフィルタリング処理を実行してウインドウＷ１に表示する。
【００７２】
図１５は、このようにしてオペレータが設定したイン点、アウト点、特殊効果による編集リストを示す図表である。編集処理部２ＢＣは、オペレータがイン点、アウト点を順次指定すると、この編集リストを仮生成し、オペレータが各編集素材について、プレビューを完了し、編集決定のコマンド操作を行うと、この仮生成した編集リストを順次更新して編集リストを完成する。さらにオペレータの操作に応動して、この作成した編集リストに所定のファイル名を付加して記録媒体に記録し、また必要に応じて表示装置８に表示する。
【００７３】
ここで第１行目の「０００１Ｉ」は、シーン０００１のイン点を示し、編集結果を記録する磁気テープ上のタイムコード（拡張タイムコード）に「００＋００＋００：００：００：００」（reference TB) より記録を開始し、このときの編集素材でなる再生側の磁気テープにおいては、対応するタイムコード（拡張タイムコード）が「０１＋０１＋００：０２：０３：１５」（source ETC) でなることを示している。
【００７４】
またこれに対応して続く第２行目の「０００１Ｏ」は、シーン０００１のアウト点を示し、続く第３行目及び第４行目の「０００２Ｉ１」及び「０００２Ｉ２」は、それぞれ特殊効果による遷移を有するイン点を示し、Ｖ−ＷＩＰＥによるフィルタリング処理の５秒の遷移時間により実施することを示している。なおこの第３行目及び第４行目に対応するアウト点は、第５行目及び第６行目の「０００２Ｏ１」及び「０００２Ｏ２」が対応する。
【００７５】
編集処理部２ＢＣは、このようにして編集リストを完成すると、バッチ処理管理部２ＢＦを制御してバッチ処理のプランニング処理を実行する。このとき編集処理部２ＢＣは、特殊効果による編集点については、事前に、編集結果の映像信号をハードディスク装置に記録する（図４、ステップＳＰ４３）。
【００７６】
図１６は、この種の特殊効果によるフィルタリング処理の説明に供する略線図であり、シーンＡ及びシーンＢでなる２つのシーンを、ワイプ、ディゾルブ等により繋ぎ併せる場合である（図１６（Ａ）及び（Ｂ））。
【００７７】
編集処理部２ＢＣは、この場合特殊効果フィルタ２ＢＥ、外部ディバイスコントローラ２Ａの動作を制御して図１７に示す処理手順を実行することにより、事前に特殊効果による遷移期間ＥＡＢの映像信号をハードディスク装置２に記録する。
【００７８】
すなわち編集処理部２ＢＣは、ステップＳＰ８０からステップＳＰ８１に移り、シーンＡにおける遷移期間ＥＡＢの映像信号をハードディスク装置２に取り込む。このとき編集処理部２ＢＣは、間引き回路２ＣＢの動作を停止制御し、これにより解像度を低減することなく、この遷移期間ＥＡＢの映像信号を取り込む。
【００７９】
続いて編集処理部２ＢＣは、ステップＳＰ８２に移り、続くシーンＢにおける遷移期間ＥＡＢの映像信号をハードディスク装置２に取り込む。このとき編集処理部２ＢＣは、シーンＡの場合と同様に、解像度を低減することなく、この遷移期間ＥＡＢの映像信号を取り込む。
【００８０】
続いて編集処理部２ＢＣは、ステップＳＰ８３に移り、このハードディスク装置２に記録した２つの映像信号を特殊効果フィルタ２ＢＥにより順次合成して、遷移期間ＥＡＢの編集結果を生成し、この生成した編集結果をハードディスク装置２に記録する。
【００８１】
このようにして遷移期間ＥＡＢの映像信号を事前に生成すると、編集処理部２ＢＣは、図１８に示すように、ステップＳＰ８４において、再生側ビデオテープレコーダ５の動作を制御して、この遷移期間ＥＡＢの前側シーンでなる区間ＡＩ〜ＡＯ１の映像信号の再生を開始し、この映像信号を記録側ビデオテープレコーダ６で記録する。このとき編集処理部２ＢＣは、事前にタイムコードを記録した磁気テープに対して、編集リストに従ったインサート録画によりこのシーンＡの映像信号を記録側ビデオテープレコーダ６で記録する。
【００８２】
このようにして遷移期間ＥＡＢの直前まで映像信号を記録すると、編集処理部２ＢＣは、続くステップＳＰ８５において、ハードディスク装置２に記録して保存した遷移期間ＥＡＢの映像信号を記録側ビデオテープレコーダ６に記録する。さらにこの遷移期間ＥＡＢの映像信号を記録すると、ステップＳＰ８６に移り、続くシーンＢの区間ＢＩ２〜ＢＯの映像信号を再生側ビデオテープレコーダ５で再生して記録側ビデオテープレコーダ６により記録し、ステップＳＰ８７に移ってこの処理手順を終了する。これにより編集装置１では、データ量を低減して編集点近傍の映像信号を選択的に入力した場合でも、画質の劣化を有効に回避して種々の特殊効果を付与できるようになされている。
【００８３】
図１９は、図１７について上述したステップＳＰ８３における編集処理部２ＢＣの処理手順を示すフローチャートである。編集処理部２ＢＣは、この処理手順を実行してハードディスク装置２に記録した２つの映像信号を合成して遷移期間ＥＡＢの映像信号を生成する。
【００８４】
すなわち編集処理部２ＢＣは、ステップＳＰ９０からステップＳＰ９１に移り、シーンＡのフレームを特定するポインタＰＡが遷移期間ＥＡＢの先頭フレームを指示するようにセットする。続いて編集処理部２ＢＣは、ステップＳＰ９２に移り、同様に、シーンＢのフレームを特定するポインタＰＢが遷移期間ＥＡＢの先頭フレームを指示するようにセットする。
【００８５】
続いて編集処理部２ＢＣは、ステップＳＰ９３に移り、ハードディスク装置２より２つのポインタＰＡ及びＰＢで指定される映像信号を読み出し、続くステップＳＰ９４において、この読み出した映像信号に対して、オペレータの指定した特殊効果によるフィルタリング処理を実行する。続いて編集処理部２ＢＣは、ステップＳＰ９５において、このフィルタリング結果を遷移期間ＥＡＢの映像オブジェクトとしてハードディスク装置２に記録する。このとき編集処理部２ＢＣは、既に同一遷移期間ＥＡＢの映像オブジェクトがハードディスク装置２に記録されている場合、生成した映像信号をこの映像オブジェクトの末尾に付加してハードディスク装置２に記録する。
【００８６】
続いて編集処理部２ＢＣは、ステップＳＰ９６に移り、２つのポインタＰＡ及びＰＢをそれぞれ値１だけインクリメントした後、ステップＳＰ９７に移り、ここでこれらポインタＰＡ及びＰＢにより指定されるフレームが、遷移期間ＥＡＢの最後尾フレームを越えたか否か判断する。ここで否定結果が得られると、編集処理部２ＢＣは、ステップＳＰ９３に戻り、続くフレームについて同様の処理を繰り返す。これにより編集処理部２ＢＣは、ステップＳＰ９３−ＳＰ９４−ＳＰ９５−ＳＰ９６−ＳＰ９７−ＳＰ９３の処理手順を繰り返し、順次遷移期間ＥＡＢの映像信号をフィルタリング処理して合成する。
【００８７】
このようにして遷移期間ＥＡＢについて順次映像信号を合成すると、編集処理部２ＢＣは、ステップＳＰ９７において肯定結果が得られるようになる。この場合編集処理部２ＢＣは、ステップＳＰ９７からステップＳＰ９８に移り、順次ハードディスク装置２に記録した編集結果の映像信号に所定のファイル名を付加して保存した後、ステップＳＰ９９に移ってこの処理手順を終了する。
【００８８】
図２０は、図１８について上述したステップＳＰ８４における編集処理部２ＢＣの処理手順を示すフローチャートである。編集処理部２ＢＣは、ステップＳＰ１００からステップＳＰ１０１に移り、再生側ビデオテープレコーダ（ＶＣＲ）５に制御コマンドを発行して、シーンＡのイン点ＡＩを頭出しする。続いて編集処理部２ＢＣは、ステップＳＰ１０２に移り、ここで記録側ビデオテープレコーダ６に制御コマンドを発行し、インサート編集による記録開始位置を頭出しする。なおこのステップＳＰ１０１及びＳＰ１０２において、編集処理部２ＢＣは、それぞれイン点及び記録開始位置より調走に必要な所定フレーム数ＳＰ、ＳＲだけ逆上った位置を頭出しの位置に設定する。
【００８９】
続いて編集処理部２ＢＣは、ステップＳＰ１０３に移り、ここで記録側ビデオテープレコーダ６及び再生側ビデオテープレコーダ５の再生を開始した後ステップＳＰ１０４に移る。ここで編集処理部２ＢＣは、タイムコード管理部２ＢＡを介して検出される再生側ビデオテープレコーダ５及び記録側ビデオテープレコーダ６のタイムコードを基準にして、２つのビデオテープレコーダ５及び６の調走がロックしたか否か判断し、ここで否定結果が得られると、ステップＳＰ１０５に移る。
【００９０】
ここで編集処理部２ＢＣは、所定回数ｎだけロックを失敗したか否か判断し、ここで否定結果が得られると、ステップＳＰ１０１に戻り、再び頭出しの処理を実行して再生側ビデオテープレコーダ５及び記録側ビデオテープレコーダ６を再生する。これにより編集処理部２ＢＣは、ステップＳＰ１０１−ＳＰ１０２−ＳＰ１０３−ＳＰ１０４−ＳＰ１０５−ＳＰ１０１の処理手順を繰り返し、所定回数ｎだけ調走してロックできない場合、ステップＳＰ１０５からステップＳＰ１０６に移る。ここで編集処理部２ＢＣは、それぞれイン点及び記録開始位置より逆上るフレーム数ＳＰ、ＳＲを再設定した後、ステップＳＰ１０１に戻る。これにより編集処理部２ＢＣは、繰り返し調走してロックできない場合、調走の条件を変更して同様の処理を繰り返す。
【００９１】
これに対して調走により２つのビデオテープレコーダ５及び６の動作が同期すると、ステップＳＰ１０４において肯定結果が得られることにより、編集処理部２ＢＣは、ステップＳＰ１０４よりステップＳＰ１０８に移る（図２１）。ここで編集処理部２ＢＣは、再生側ビデオテープレコーダ５及び記録側ビデオテープレコーダ６のタイムコードがイン点及び記録開始位置のタイムコードに一致したか否か判断し、ここで否定結果が得られると、ステップＳＰ１０８を繰り返す。
【００９２】
これに対してステップＳＰ１０８において肯定結果が得られると、編集処理部２ＢＣは、ステップＳＰ１０９に移り、記録側ビデオテープレコーダ６の録画開始の制御コマンドを発行する。これにより編集処理部２ＢＣは、再生側ビデオテープレコーダ５で再生される映像信号のイン点から、記録側ビデオテープレコーダ６で録画を開始する。
【００９３】
続いて編集処理部２ＢＣは、ステップＳＰ１１０に移り、ここで再生側ビデオテープレコーダ５のタイムコードが遷移期間ＥＡの開始点の直前のタイムコードと一致したか否か判断し、ここで否定結果が得られると、ステップＳＰ１１０を繰り返すのに対し、肯定結果が得られると、ステップＳＰ１１１に移る。これにより編集処理部２ＢＣは、イン点より遷移期間ＥＡの開始直前の位置まで、再生側ビデオテープレコーダ５で再生した映像信号を記録側ビデオテープレコーダ６で記録した後、両ビデオテープレコーダ５及び６の動作を停止し、ステップＳＰ１１２に移ってこの処理手順を終了する。
【００９４】
なお編集処理部２ＢＣは、図１８のステップＳＰ８６について上述した、シーンＢの遷移期間ＥＢが終了した時点よりアウト点までの映像信号について、再生側ビデオテープレコーダ５より記録側ビデオテープレコーダ６に映像信号をダビングする場合に、この図２０及び図２１の処理手順と同様の処理手順を実行して映像信号を処理する。
【００９５】
図２２は、図１８のステップＳＰ８５について上述した編集処理部２ＢＣの処理手順を示すフローチャートである。編集処理部２ＢＣは、この処理手順を実行することにより、事前に作成してハードディスク装置２に記録した遷移期間ＥＡＢの編集結果を記録側ビデオテープレコーダ６で記録する。
【００９６】
すなわち編集処理部２ＢＣは、ステップＳＰ１２０からステップＳＰ１２１に移り、ハードディスク装置２に記録した遷移期間ＥＡＢの編集結果をメモリ空間のテンポラリー領域に読み出す。続いて編集処理部２ＢＣは、ステップＳＰ１２２に移り、ここで記録側ビデオテープレコーダ６を頭出しする。このとき編集処理部２ＢＣは、この編集結果の記録開始位置より所定フレーム数だけ逆上った位置に、記録側ビデオテープレコーダ６を頭出しする。
【００９７】
続いて編集処理部２ＢＣは、ステップＳＰ１２３に移り、記録側ビデオテープレコーダ６に再生開始を指示した後、続くステップＳＰ１２４において、記録側ビデオテープレコーダ６のタイムコードが遷移期間ＥＡＢの開始位置のタイムコードと一致したか否か判断し、ここで否定結果が得られるとステップＳＰ１２４を繰り返す。
【００９８】
これにより編集処理部２ＢＣは、遷移期間ＥＡＢの開始位置まで、記録側ビデオテープレコーダ６を再生の状態に保持して、ステップＳＰ１２５に移る。ここで編集処理部２ＢＣは、メモリに保持した遷移期間ＥＡＢの映像信号について、記録側ビデオテープレコーダ６の記録速度に対応する再生速度により再生を開始する。続いて編集処理部２ＢＣは、ステップＳＰ１２６に移り、ここで記録側ビデオテープレコーダ６に録画コマンドを送出し、順次再生する遷移期間ＥＡＢの映像信号を記録側ビデオテープレコーダ６で記録する。
【００９９】
続いて編集処理部２ＢＣは、ステップＳＰ１２７に移り、遷移期間ＥＡＢの映像信号について、録画を完了したか否か判断し、ここで否定結果が得られると、ステップＳＰ１２７を繰り返すのに対し、肯定結果が得られると、ステップＳＰ１２８に移る。ここで編集処理部２ＢＣは、記録側ビデオテープレコーダ６の動作を停止制御した後、ステップＳＰ１２９に移ってこの処理手順を終了する。
【０１００】
図２３は、図４のステップＳＰ４２について上述したバッチ処理プランニングを示す略線図である。編集処理部２ＢＣは、バッチ処理管理部２ＢＦを制御して、例えば３本の磁気テープＡ、Ｂ、Ｃに記録されたビデオ素材を編集して１本の磁気テープＭに記録する場合（図２３（Ａ））、始めにこの編集結果を記録する磁気テープＭにタイムコードを順次記録する。さらに編集処理部２ＢＣは、バッチ処理プランニングにより選定した第１の磁気テープＡ（図２３（Ｂ１））を再生側ビデオテープレコーダ５にセットする旨、オペレータに指示し、この第１の磁気テープＡに設定された各シーンＡ１、Ａ２を順次磁気テープＭにインサート録画する（図２３（Ｂ２））。
【０１０１】
続いて編集処理部２ＢＣは、同様に、バッチ処理プランニングにより選定した第２の磁気テープＢ（図２３（Ｃ１））を再生側ビデオテープレコーダ５にセットする旨、オペレータに指示し、この第２の磁気テープＢに設定された各シーンＢ１、Ｂ２を順次磁気テープＭにインサート録画する（図２３（Ｃ２））。さらに編集処理部２ＢＣは、最後に残る第３の磁気テープＣ（図２３（Ｄ１））を再生側ビデオテープレコーダ５にセットする旨、オペレータに指示し、この第３の磁気テープＣに設定された各シーンＣ１、Ｃ２、Ｃ３を順次磁気テープＭにインサート録画する（図２３（Ｄ２））。
【０１０２】
これにより編集処理部２ＢＣは、オペレータの設定した各シーンについて、磁気テープＡ、Ｂ、Ｃを単位にしたバッチ処理により磁気テープＭにインサート録画し、磁気テープＡ、Ｂ、Ｃの交換回数を低減する。
【０１０３】
さらにこのとき編集処理部２ＢＣは、バッチ処理管理部２ＢＦにおいて、図２４に示す処理手順を実行してバッチ処理をプランニングし、記録に供するビデオ素材の時間の短い磁気テープより磁気テープＭに記録し、これによりオペレータが頻繁に編集装置１を監視しなくても、編集結果を磁気テープＭに記録できるようにする。なおこの図２４に示す処理手順においては、プランニング処理と、その処理結果によるダビングの処理手順とを連続して示す。
【０１０４】
すなわち編集処理部２ＢＣは、ステップＳＰ１３０からステップＳＰ１３１に移り、ここでタイムコードマップより素材のテープ数ｎを検出する。続いて編集処理部２ＢＣは、ステップＳＰ１３１に移り、ここで素材テープカウンタのカウント値Ｃを値１にセットする。ここで素材テープカウンタは、素材テープを特定するカウンタである。
【０１０５】
続いて編集処理部２ＢＣは、ステップＳＰ１３５に移り、ここでカウント値Ｃの磁気テープについて、記録側ビデオテープレコーダ６により磁気テープに記録する総時間ＴＣを検出する。ここでこの総時間ＴＣは、タイムコードマップにより検出される。続いて編集処理部２ＢＣは、ステップＳＰ１３６に移り、素材テープカウンタのカウント値Ｃを値１だけインクリメントした後、ステップＳＰ１３７に移る。ここで編集処理部２ＢＣは、素材テープカウンタのカウント値Ｃが素材のテープ数ｎを越えたか否か判断し、ここで否定結果が得られると、ステップＳＰ１３５に戻る。
【０１０６】
これにより編集処理部２ＢＣは、ステップＳＰ１３５−ＳＰ１３６−ＳＰ１３７−ＳＰ１３５の処理手順を繰り返し、素材の各テープについて、それぞれ記録側ビデオテープレコーダ６により磁気テープＭに記録する総時間ＴＣを検出する。このようにして全テープについて、総時間ＴＣを検出すると、ステップＳＰ１３８に移り、ここで総時間ＴＣの短い順に素材テープカウンタのカウント値Ｃを配列し、この配列順序を再生側ビデオテープレコーダ５に装填する順序とする。
【０１０７】
図２５に示すように、続いて編集処理部２ＢＣは、ステップＳＰ１３９において、記録側ビデオテープレコーダ６に装填された磁気テープに連続するタイムコードを記録する。続いて編集処理部２ＢＣは、ステップＳＰ１４０において、ステップＳＰ１３８で設定した配列順序に従って、再生側ビデオテープレコーダ５に磁気テープの装填を促し、続くステップＳＰ１４１において、外部ディバイスコントローラ２Ａを介して検出される再生側ビデオテープレコーダ５のステータスに従って対応する磁気テープが再生側ビデオテープレコーダ５に装填されたか否か判断する。
【０１０８】
ここで否定結果が得られると、編集処理部２ＢＣは、ステップＳＰ１４０に移り、再びオペレータに磁気テープの装填を促すのに対し、肯定結果が得られると、ステップＳＰ１４２に移る。ここで編集処理部２ＢＣは、再生側ビデオテープレコーダ５で該当する映像信号を再生し、再生した映像信号を記録側ビデオテープレコーダ６で記録する。この記録の処理が完了すると、編集処理部２ＢＣは、ステップＳＰ１４３に移り、全ての素材磁気テープについて、ダビングを完了したか否か判断し、ここで否定結果が得られると、ステップＳＰ１４４に移る。
【０１０９】
ここで編集処理部２ＢＣは、ダビングする磁気テープを続く磁気テープに切り換え、ステップＳＰ１４０に移って、この磁気テープの装填をオペレータに促す。これに対して全ての素材磁気テープについて、ダビングの処理を完了すると、ステップＳＰ１４３において肯定結果が得られることにより、ステップＳＰ１４５に移ってこの処理手順を終了する。
【０１１０】
図２６は、図２５のステップＳＰ１４２における処理手順を詳細に示すフローチャートである。編集処理部２ＢＣは、この処理手順を実行することにより、バッチ処理管理部２ＢＦのプランニングにより選択した１の素材磁気テープについて、記録側ビデオテープレコーダ６に想定された磁気テープを記録する。
【０１１１】
すなわち編集処理部２ＢＣは、ステップＳＰ１５０からステップＳＰ１５１に移り、ここで編集リストより再生側ビデオテープレコーダ５に装填された磁気テープに関する編集点データを抽出する。続いて編集処理部２ＢＣは、ステップＳＰ１５２に移り、ここで抽出した編集点データを記録側ビデオテープレコーダ６のタイムコード順に配列する。
【０１１２】
続いて編集処理部２ＢＣは、ステップＳＰ１５３に移り、ここでステップＳＰ１５２の配列順に、編集点データに従って再生側ビデオテープレコーダ５に装填された磁気テープの各シーンを記録側ビデオテープレコーダ６の磁気テープにダビングする。なおこのダビングにおいて、編集処理部２ＢＣは、再生側ビデオテープレコーダ５、記録側ビデオテープレコーダ６を頭出しし、また調走させてインサート録画によりダビングする。
【０１１３】
続いて編集処理部２ＢＣは、ステップＳＰ１５４に移り、再生側ビデオテープレコーダ５に装填した磁気テープに関して、全てのシーンをダビングしたか否か判断し、ここで否定結果が得られると、ステップＳＰ１５３を繰り返す。これに対して全てのシーンについてダビングを完了すると、ステップＳＰ１５４において肯定結果が得られることにより、編集処理部２ＢＣは、ステップＳＰ１５５に移り、この処理手順を終了する。
【０１１４】
なお図１６について上述した特殊効果による編集処理においては、このようにしてバッチ処理管理部２ＢＦにおいて作成したプランニングに従って、該当するタイミングで編集処理部２ＢＣが上述した処理手順を実行することになる。
【０１１５】
以上の構成において、編集装置１では（図２）、編集対象でなるビデオ素材を記録した磁気テープを再生側ビデオテープレコーダ５に装填して順次オペレータがイン点、アウト点を大まかに指定すると、各イン点、アウト点近傍の映像信号が選択的にハードディスク装置２に記録される（図５）。編集装置１では、このようにして選択的に取り込んだ映像信号によりプレビュー等の処理が実行され、これにより大容量のハードディスク装置２を用意しなくても、簡易な構成により編集作業を実行できるようになされている。
【０１１６】
さらにこのようにしてハードディスク装置２に取り込む映像信号は、間引き回路２ＣＢにより解像度が低減され、これによりデータ量が低減される。これにより編集装置１は、さらに一段と小容量のハードディスク装置２により各種編集作業を実行できるようになされている。
【０１１７】
このようにして編集点近傍の映像信号を取り込む際に、編集装置１では、各編集点のタイムコードに、磁気テープの識別コードでなるテープＩＤ、各編集対象のシーンを識別するテープ内ＩＤが付加されて拡張タイムコードが生成され、この拡張タイムコードにより、全ての磁気テープと編集結果との対応関係を示すタムコードマップが生成される（図９）。
【０１１８】
これにより編集装置１では、再生側ビデオテープレコーダ５より記録側ビデオテープレコーダ６に映像信号をダビングする際に、これらタイムコードマップにより各種ビデオ素材を記録側タイムコードと関連付けて処理するようになされ、複数の磁気テープを編集対象とする場合でも、これら複数の磁気テープに記録されたビデオ素材を一元的に管理できるようになされている。また編集点近傍のビデオ素材のみ取り込んで、この取り込んだビデオ素材と元のビデオ素材との間についても、関連付けするようになされ、これにより部分的に取り込んだビデオ素材間で連続する映像を作成できるようになされ、またオリジナルのビデオ素材との間で同一性を維持できるようになされている。
【０１１９】
かくするにつきこのようにして編集リスト作成用にビデオ素材を取り込むと、編集装置１においては、表示装置８の表示画面にてマウスを操作することにより（図１０）、イン点、アウト点の設定が変更され、またオペレータの所望する特殊効果が設定され、この表示画面に形成されたウインドウＷ１のメニューを選択して操作することにより、これらの変更、設定後の編集結果をウインドウＷ１内の表示にて確認することができ、これによりプレビューの作業を実行することができる。またこの変更、設定作業に応動して、拡張タイムコードによる対応する編集リストが作成される。
【０１２０】
このとき例えばカット編集により２つのビデオ素材を連続してプレビューする場合、第１のビデオ素材のイン点近傍については、ハードディスク装置２に取り込まれた映像信号が再生されてウインドウＷ１に表示され、続いてこのイン点近傍のビデオ素材の最後尾の１フレームが静止画により表示され、アウト点近傍になると、ハードディスク装置２に記録された編集リスト作成用の映像信号が表示される。さらにアウト点を境にして、ハードディスク装置２に記録された第２のビデオ素材について、イン点からの映像信号が表示され、続いてこのイン点近傍のビデオ素材の最後尾の１フレームが静止画により表示された後、アウト点近傍になると、ハードディスク装置２に記録された編集リスト作成用の映像信号が表示される。
【０１２１】
また特殊効果により２つのシーンを繋ぐ場合には、ハードディスク装置２に記録された２つの映像信号がオペレータの選択した特殊効果により接続されてウインドウＷ１に表示され、その前後においては、それぞれ前後のシーンのハードディスク装置に記録された編集リスト作成用の映像信号が表示される。これによりオペレータにおいては、編集点近傍についてだけハードディスク装置２に映像信号を取り込んでプレビューしても、イン点及びアウト点間の映像信号を全て取り込んでプレビューしている場合と同様の操作感覚によりプレビューすることができ、その分使い勝手を向上することができる。
【０１２２】
さらにこのときウインドウＷ１の上部にタイムコードを表示したことにより、オペレータにおいては、現在のプレビュー位置をこのタイムコードにより確認すすることができ、これによっても使い勝手を向上することができる。
【０１２３】
このようにして編集点の変更、特殊効果の選択を完了すると、編集装置では、オペレータの操作に従って編集リストが生成され（図１５）、その後この編集リストに従って編集結果の映像信号が記録側ビデオテープレコーダ６に記録される。このとき編集装置１では、バッチ処理によるプラニングが実行され、編集素材を記録した磁気テープ毎に、再生時間が検出される。さらにこの検出した再生時間の短い順に、磁気テープの配列が設定され、この配列に従って再生側ビデオテープレコーダ５に対する磁気テープの装填がオペレータ指示される。
【０１２４】
これにより再生時間の短い磁気テープより、編集リストに従って、記録側ビデオテープレコーダ６にインサート録画により順次オペレータの選択したシーンが記録され、複数本の磁気テープを編集対象にして編集処理する場合における磁気テープの装填回数が格段的に低減される。さらに再生時間の短い磁気テープより順次インサート録画することにより、オペレータにおいては、録画を開始した直後、短い時間間隔で磁気テープの交換作業を繰り返した後、編集装置１を離れて他の作業を実行でき、これによりオペレータの作業効率を向上することができる。
【０１２５】
このとき２つの映像信号を合成する特殊効果においては、事前に、遷移期間ＥＡＢについてだけこの２つの映像信号をハードディスク装置２に取り込み、この取り込んだ映像信号を合成してハードディスク装置２に保存することにより、煩雑な構成による特殊効果装置を持たないシステム構成でも、種々の特殊効果により映像信号を編集処理することができる。
【０１２６】
以上の構成によれば、編集点近傍の映像信号についてのみ、データ量を低減してハードディスク装置に記録し、この映像信号によりプレビューの処理を実行することにより、小容量のハードディスク装置によっても種々の編集作業を実行することができ、これにより簡易な構成の編集装置を得ることができる。
【０１２７】
またプレビューの処理において、ハードディスク装置に取り込んでいない映像信号については、静止画を表示し、またタイムコードを表示することにより、編集点近傍の映像信号についてのみ取り込んでプレビューする場合の使い勝手を向上することができる。
【０１２８】
さらに各磁気テープ毎に、バッチ処理により編集結果を記録し、このとき再生時間の短い磁気テープから順次処理することにより、オペレータによる頻繁な磁気テープの交換回数を低減して、オペレータの作業効率を向上することができる。
【０１２９】
また特殊効果を付加する場合は、遷移期間についてだけ処理対象の映像信号をハードディスク装置に記録して編集結果を保持することにより、煩雑な構成による特殊効果装置を持たないシステム構成でも、種々の特殊効果を付与することができる。
【実施例２】
【０１３０】
なお上述の実施例においては、編集点近傍についてのみ映像信号の解像度を低減してハードディスク装置に取り込む場合について述べたが、本発明はこれに限らず、ハードディスク装置の容量に余裕がある場合等にあっては、解像度を低減する処理を中止してもよい。
【０１３１】
また上述の実施例においては、ハードディスク装置に取り込んでいない映像信号については、静止画及びタイムコードを表示する場合について述べたが、本発明はこれに限らず、静止画又はタイムコードの何れかを一方のみを表示してもよい。またこれらに代えて、ハードディスク装置の容量に余裕がある場合等にあっては、ハードディスク装置にコマ送りの映像を取り込んで、このコマ送りの映像を表示してもよい。
【０１３２】
さらに上述の実施例においては、特殊効果により２つのシーンを接続する場合、この２つの映像信号をハードディスク装置に取り込んで合成する場合について述べたが、本発明はこれに限らず、１方の映像信号についてだけハードディスク装置に取り込んで保持し、他方の映像信号については再生側ビデオテープレコーダより再生される映像信号を用いるようにしてもよい。なおこの場合、編集結果を直接記録側ビデオテープレコーダで記録してもよい。
【０１３３】
また上述の実施例においては、２つの映像信号を合成するフィルタリング処理による特殊効果について述べたが、本発明はこれに限らず、１つの映像信号について、例えばフェードアウト、フェードイン等のフィルタリング処理による特殊効果についても適用することができる。
【０１３４】
さらに上述の実施例においては、再生時間の短い磁気テープの順に、バッチ処理により編集結果を記録する場合について述べたが、本発明はこれに限らず、再生時間の長い磁気テープの順に、バッチ処理により編集結果を記録するようにしてもよい。
【０１３５】
また上述の実施例においては、編集点近傍の映像信号を選択的に取り込んで編集処理する場合に、バッチ処理のプランニング処理を実行する場合について述べたが、本発明はこれに限らず、複数の磁気テープを編集対象にしてこれらの磁気テープより編集結果の映像信号を磁気テープに記録する場合に広く適用することができる。
【０１３６】
さらに上述の実施例においては、各１台の記録側ビデオテープレコーダ及び再生側ビデオテープレコーダを用いて編集処理する場合について述べたが、本発明はこれに限らず、複数台の再生側ビデオテープレコーダを用いて編集処理する場合にも適用することができる。
【０１３７】
また上述の実施例においては、磁気テープに記録したビデオ素材を編集処理する場合について述べたが、本発明はこれに限らず、ハードディスク装置、光ディスク、ＩＣカード等、種々の記録媒体に記録した映像信号を編集処理する場合に広く適用することができる。
【産業上の利用可能性】
【０１３８】
本発明は、編集装置及び編集方法に関し、特にパーソナルコンピュータ等の情報機器を用いた簡易な編集システムに適用することができる。
【図面の簡単な説明】
【０１３９】
【図１】本発明の実施例に係る編集装置のビデオ素材の入力の説明に供するフローチャートである。
【図２】図１の編集装置の全体構成を示す略線図である。
【図３】図２のブロック図である。
【図４】図２の編集装置における全体の処理手順を示すフローチャートである。
【図５】図１のビデオ素材の入力の説明に供する略線図である。
【図６】図１のビデオ素材の入力におけるイン点近傍ビデオ素材の入力の説明に供するフローチャートである。
【図７】図６のイン点近傍ビデオ素材の入力における１フレーム分の映像信号の入力の説明に供するフローチャートである。
【図８】図１のビデオ素材の入力におけるアウト点近傍ビデオ素材の入力の説明に供するフローチャートである。
【図９】タイムコードマップを示す図表である。
【図１０】プレビュー時における表示画面を示す略線図である。
【図１１】プレビュー時における処理手順を示すフローチャートである。
【図１２】図１１の続きの処理手順を示すフローチャートである。
【図１３】図１２の続きの処理手順を示すフローチャートである。
【図１４】図１３の続きの処理手順を示すフローチャートである。
【図１５】編集リストを示す図表である。
【図１６】特殊効果の処理の説明に供する略線図である。
【図１７】特殊効果における処理手順を示すフローチャートである。
【図１８】図１７の続きの処理手順を示すフローチャートである。
【図１９】図１７の処理手順における遷移期間の処理手順を示すフローチャートである。
【図２０】図１７の処理手順におけるダビングの処理手順を示すフローチャートである。
【図２１】図２０の続きの処理手順を示すフローチャートである。
【図２２】図１７の処理手順における遷移期間の映像信号の記録の説明に供するフローチャートである。
【図２３】バッチ処理の説明に供する略線図である。
【図２４】バッチ処理のプランニングの処理手順を示すフローチャートである。
【図２５】図２４の続きの処理手順を示すフローチャートである。
【図２６】プランニングによるダビングの処理手順を示すフローチャートである。
【符号の説明】
【０１４０】
１……編集装置、２……ハードディスク装置、３……パーソナルコンピュータ、５、６……ビデオテープレコーダ、２Ｂ……編集サブシステム、２ＢＡ……タイムコード管理部、２ＢＣ……編集処理部、２ＢＥ……特殊効果フィルタ、２ＢＦ……バッチ処理部、２Ｃ……入出力管理部、２ＣＢ……間引き回路
【図１】
2006294240.tif 000003
【図２】
2006294240.tif 000004
【図３】
2006294240.tif 000005
【図４】
2006294240.tif 000006
【図５】
2006294240.tif 000007
【図６】
2006294240.tif 000008
【図７】
2006294240.tif 000009
【図８】
2006294240.tif 000010
【図９】
2006294240.tif 000011
【図１０】
2006294240.tif 000012
【図１１】
2006294240.tif 000013
【図１２】
2006294240.tif 000014
【図１３】
2006294240.tif 000015
【図１４】
2006294240.tif 000016
【図１５】
2006294240.tif 000017
【図１６】
2006294240.tif 000018
【図１７】
2006294240.tif 000019
【図１８】
2006294240.tif 000020
【図１９】
2006294240.tif 000021
【図２０】
2006294240.tif 000022
【図２１】
2006294240.tif 000023
【図２２】
2006294240.tif 000024
【図２３】
2006294240.tif 000025
【図２４】
2006294240.tif 000026
【図２５】
2006294240.tif 000027
【図２６】
2006294240.tif 000028